【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
コンテンツをナビゲートするためのコンピュータが実施する方法において、  
表示装置にタブ式ブラウザウインドウを表示する段階であって、前記タブ式ブラウザウインドウは複数の開いているタブを表示し、開いているタブの各々は自身に関係付けられたウェブページコンテンツを有し、前記複数の開いているタブは、現在選択されているタブと１つ又は複数の選択されていないタブとを含む、タブ式ブラウザウインドウを表示する段階と、
ユーザーによるクイックピック機構の起動の受信に応答して、グラフィックビューの組を表示するウインドウを前記表示装置に表示する段階であって、前記グラフィックビューの組は、前記現在選択されているタブに関係付けられて前記現在選択されているタブのウェブページコンテンツを表すグラフィックビューと、前記１つ又は複数の選択されていないタブの各々に関係付けられて前記１つ又は複数の選択されていないタブのウェブページコンテンツを表すグラフィックビューとを含む、ウインドウを前記表示装置に表示する段階と、
別のユーザー行為を受信する段階と、
前記別のユーザー行為に基づいて表示を修正する段階と、から成るコンピュータが実施する方法。
【請求項２】
ユーザーによるクイックピック機構の前記起動は、前記タブ式ブラウザウインドウに表示されているタブ・バー上のクイックピックボタンの選択を含んでいる、請求項１に記載のコンピュータが実施する方法。
【請求項３】
各グラフィックビューは、前記ウェブページコンテンツを表示するサムネイルを備えている、請求項１に記載のコンピュータが実施する方法。
【請求項４】
前記別のユーザー行為は、前記グラフィックビューの１つと関係付けられた閉じるを示すインジケータの選択を含んでおり、前記表示を修正する段階は、１つのグラフィックビューを前記ウインドウに表示されている状態から削除する段階を含んでいる、請求項１に記載のコンピュータが実施する方法。
【請求項５】
前記表示を修正する段階は、グラフィックビューと関係付けられている前記開いているタブを、前記タブ式ブラウザウインドウ内の前記複数の開いているタブの内の１つとして表示されている状態から削除する段階を更に含んでいる、請求項４に記載のコンピュータが実施する方法。
【請求項６】
前記別のユーザー行為は、前記グラフィックビューの内の１つに関するドラッグ・アンド・ドロップ操作を含んでおり、前記表示を修正する段階は、前記ウインドウ内で前記１つのグラフィックビューがドロップされた場所に基づいて前記グラフィックビューを配置し直す段階と、それに応じて、前記タブ式ブラウザウインドウに表示される前記開いているタブを、前記１つのグラフィックビューと関係付けられている前記開いているタブが配置し直されるように調整する段階を含んでいる、請求項１に記載のコンピュータが実施する方法。
【請求項７】
前記別のユーザー行為は、前記グラフィックビューの内の１つの選択を含んでおり、前記表示を修正する段階は、前記タブ式ブラウザウインドウにおいて、前記現在選択されているタブを、前記選択されたグラフィックビューと関係付けられた前記開いているタブとなるように設定する段階を含んでいる、請求項１に記載のコンピュータが実施する方法。
【請求項８】
前記別のユーザー行為は、前記グラフィックビューの内の１つの上でホバリングする段階を含んでおり、前記表示を修正する段階は、前記タブ式ブラウザウインドウ内の前記１つのグラフィックビューに関係付けられたタブの外見を視覚的に変更する段階を含んでいる、請求項１に記載のコンピュータが実施する方法。
【請求項９】
前記別のユーザー行為は、前記グラフィックビューの内の１つの上でホバリングする段階を含んでおり、前記表示を修正する段階は、前記１つのグラフィックビューを視覚的に拡大する段階を含んでいる、請求項１に記載のコンピュータが実施する方法。
【請求項１０】
前記別のユーザー行為は、前記グラフィックビューの内の１つの選択を含んでおり、前記表示を修正する段階は、前記グラフィックビューと関係付けられた前記開いているタブのコンテンツが表示され、前記グラフィックビューと関係付けられた前記開いているタブが他の開いているタブに対して好ましい位置に表示される、タブ式ブラウザウインドウに切り替えて戻す段階を含んでいる、請求項１に記載のコンピュータが実施する方法。
【請求項１１】
タブ式ブラウザソフトウェア内で開いているタブを選択するためのコンピュータ実行可能インストラクションを有するコンピュータ記憶媒体において、前記インストラクションは、  
ユーザーによるクイックピック機構の起動に応答して、複数のグラフィックビューを表示するクイックピック式ユーザーインターフェースを表示する段階であって、各グラフィックビューは、前記タブ式ブラウザソフトウェア内の複数の開いているタブの内の１つに対応し、前記開いているタブに関係付けられたコンテンツに基づいてマークアップ言語の少なくとも一部を表示し、前記複数のグラフィックビューは、現在選択されているタブに対応するグラフィックビューと１つ又は複数の選択されていないタブの各々に対応するグラフィックビューとを含む、クイックピック式ユーザーインターフェースを表示する段階と、
別のユーザー行為を受信する段階と、
前記別のユーザー行為に基づいて前記クイックピック式ユーザーインターフェースを修正する段階と、を含んでいる、コンピュータ記憶媒体。
【請求項１２】
前記ユーザーの行為は、前記タブ式ブラウザソフトウェアのタブ式ウインドウビューに表示されたクイックピックボタンの選択を含んでいる、請求項１１に記載のコンピュータ記憶媒体。
【請求項１３】
各グラフィックビューは、前記対応している開いているタブと関係付けられたマークアップ言語ベースのコンテンツのスクリーンショットを表示するサムネイルを備えている、請求項１１に記載のコンピュータ記憶媒体。
【請求項１４】
前記別のユーザー行為は、前記グラフィックビューの内の１つの選択を含んでおり、前記クイックピック式ユーザーインターフェースを修正する段階は、現在選択されているタブを、前記選択されたグラフィックビューと関係付けられた前記開いているタブとなるように設定する段階を含んでいる、請求項１１に記載のコンピュータ記憶媒体。
【請求項１５】
前記別のユーザー行為は、前記グラフィックビューの内の１つの上でホバリングする段階を含んでおり、前記クイックピック式ユーザーインターフェースを修正する段階は、前記対応するタブの外見を視覚的に変える段階を含んでいる、請求項１１に記載のコンピュータ記憶媒体。
【請求項１６】
前記別のユーザー行為は、前記グラフィックビューの内の１つの上でホバリングする段階を含んでおり、前記クイックピック式ユーザーインターフェースを修正する段階は、前記１つのグラフィックビューを視覚的に拡大する段階を含んでいる、請求項１１に記載のコンピュータ記憶媒体。
【請求項１７】
前記別のユーザー行為は、前記グラフィックビューの内の１つの選択を含んでおり、前記クイックピック式ユーザーインターフェースを修正する段階は、前記グラフィックビューに対応する前記開いているタブのコンテンツが表示され、前記グラフィックビューに対応する前記開いているタブがタブ行内の好ましい位置に表示される、タブ式ビューに切り替えて戻す段階を含んでいる、請求項１１に記載のコンピュータ記憶媒体。
【請求項１８】
プロセッサと、
複数のコンピュータ実行可能インストラクションがロードされているメモリであって、前記複数のインストラクションは、
ユーザーによるクイックピック機構の起動に応答して、複数のグラフィックビューを表示するクイックピック式ユーザーインターフェースを表示する段階であって、各グラフィックビューは、タブ式ブラウザソフトウェア内の複数の開いているタブの内の１つに対応し、前記開いているタブに対応するハイパーテキストベースのコンテンツの少なくとも一部を表示し、前記複数のグラフィックビューは、現在選択されているタブに対応するグラフィックビューと１つ又は複数の選択されていないタブの各々に対応するグラフィックビューとを含む、クイックピック式ユーザーインターフェースを表示する段階と、
別のユーザー行為を受信する段階と、
前記別のユーザー行為に基づいて前記クイックピック式ユーザーインターフェースを修正する段階と、から成る方法を実行する、メモリと、を備えているシステム。
【請求項１９】
各グラフィックビューはサムネイルを備えており、前記サムネイルは、前記対応する開いているタブと関係付けられた前記ハイパーテキストベースのコンテンツのスクリーンショットを表示する、請求項１８に記載のシステム。
【請求項２０】
前記別のユーザー行為は、前記グラフィックビューの内の１つの選択を含んでおり、前記クイックピック式ユーザーインターフェースを修正する段階は、前記グラフィックビューに対応する前記開いているタブのコンテンツが表示され、前記グラフィックビューに対応する前記開いているタブがタブ行内の好ましい位置に表示される、タブ式ビューに切り替えて戻す段階を含んでいる、請求項１８に記載のシステム。